Podtech/llm-jp-corpus-v4-ja_patent huggingface dataset:
(57)【要約】【課題】  どうすれば裏側からも回る風車になるか。回るようになれば心棒から外して両面吹きゴマにもしたい。正５角形など正多角形の物も欲しい。玩具・教育用具・宣伝用具などに使えるようにしたい。車輪やタイヤなどにも派生したい。その際内蔵される風受け部分の形や加工方法はどうするか。【解決手段】  従来の風車の三角形部分を取り去り袋袖面を卍に切り揃えて回転翼として裏表双方から回る風車、外して両面吹きゴマにする。正５・６・８角形用紙で回転翼の数を増す。玩具・教育用具・宣伝用具には、写真などで装飾した用紙を中心部に貼付する。長目の翼は作図の点線を延長して足長回転翼を作る。【選択図】図７
2011019887.tif 000002
【特許請求の範囲】
【請求項１】
正方形用紙の四隅に鋏を入れて作る従来の風車の三角形部分を取り去り、残された四つの袋袖を卍に切り揃えて回転翼に加工し、軽く押さえて広げると同時に中心部も軽く広げて中空にし、裏表どちらからでも回る両面風車。心棒から外して平面上に置けば、上から吹くとくるくる回り、裏返せば逆回りする両面吹きゴマ。
【請求項２】
請求項１の四つの回転翼の数を増すために請求項１の方式を正５角形、正６角形、正８角形など正多角形用紙に追加設計させて、更に多様な用途の風車及び吹きゴマとする。
【請求項３】
回転翼の効力を損なわない程度の大きさの多角形又は円形の、写真やイラストなどで装飾した用紙を中心部に貼付して、玩具・教育用具・宣伝用具などへの付加価値を持たせる。
【請求項４】
回転翼を請求項３における多角形又は円形装飾用紙の外に出さない方が良い場合、例えば車輪、タイヤなどの場合は、回転翼の見えない部分に風穴をあける。
【発明の詳細な説明】
【技術分野】
【０００１】  本発明は、正方形用紙の四隅に鋏を入れて作る裏側からは回らない日本古来の風車に手を加えて、裏表どちらからも回る両面風車とし、心棒から外して平面上に置き上から息を吹き込めばくるくると回り裏返せば逆回りする吹きゴマにし、更に正５・６・８角形など正多角形の両面風車や両面吹きゴマへと進展させて、玩具・教育用具・宣伝用具にするための設計加工方法。
【背景技術】
【０００２】  日本古来の風車は表から回すもので裏側からは回らない。平面上で上から風を吹きかけて回す『風ゴマ』（登録実用新案第３１０２０８５号）は存在するが、片面だけのもので、裏返しては使えない。
【発明の開示】
【発明が解決しようとする課題】
【０００３】  従来の風車はどうすれば裏側からも回るようになるか。回るようになれば心棒から外して両面吹きゴマにもなると考えられるが、どうか。正５角形、正６角形、正８角形など正多角形の物も欲しい。玩具・教育用具・宣伝用具などとして使えるようにしたいが、どうするか。車輪やタイヤなどにも派生させたいが、その際生ずるであろう諸問題、例えば内蔵風受け部分の形や加工方法はどうするか。
【課題を解決するための手段】
【０００４】  従来の風車が裏側からは回らないのは、中心部袋袖の４５度の内斜面に正確に風を送る役をする三角形部分が邪魔をしているからで、この部分を取り去れば、風は吹き抜ける、が同時に、袋袖に斜めから当たらないと良く回らないという難点も生ずる。これを解決する手段として、袋袖面を卍に切り揃え軽く押し開いて回転翼に加工すると同時に中心部を押し広げて中空に成型したら、裏表どちらからも回る風車となり、心棒から外して平面上に置き、上から息を吹きかければくるくると回り、裏返せば逆回りする両面吹きゴマができた。更に、用途により回転翼の数を増したい欲求を満たすために、これらの手段を正５角形、正６角形、正８角形へと進展設計を試みて良い結果を得た。玩具・教育用具・宣伝用具などへの付加価値を持たせる手段としては、回転翼の効力を損なわない程度の大きさの、多角形又は円形の、写真やイラストなどで装飾した用紙を中心部に貼付した。タイヤなど特殊な用途への設計過程において、回転翼の長さを増したい要求が起きたので、これを満たすために正５角形製法設計における折り目の点線を辺上にまで延長し、交点から中心まで線を引いてより大き目の袋袖を作り、卍に切り揃えて足長回転翼を作る手段を取った。
【発明の効果】
【０００５】  本発明は、上述のように構成されているので、次に記載する効果を奏する。
スタンドにつければ、裏表どちらから風が来ても回る両面風車で、外して平面上に置けば、裏返せば逆回りする両面吹きゴマとなり、夫々装飾、デザインを施せば、玩具・教育用具・宣伝用具への効果を得た。
【実施例１】
【０００６】  発明の実施の形態について図面を参照して説明する。
図５の５−１に従って作った足長回転翼の吹きゴマを、５−２のように、風穴をあけたタイヤ用紙裏側に乗せて、５−３に見るように回転翼面で中折にして貼付し、もう一枚のタイヤ用紙で覆い貼付し、中折部分を引き戻し、開いたタイヤ用紙二枚の間に帯をつければ、図５の５−５及び５−６（横面）に見るようなタイヤ吹きゴマとなる。
【実施例２】
【０００７】  図１の１−５、図２の２−５、図３の３−５、図４の４−５などの夫々を様々なデザインの用紙で飾って、図６に見えるような両面風車や両面吹きゴマを、作り玩具・教育用具・宣伝用具などに供する。尚、夫々の用途の風車や吹きゴマの手作り製品を横に切り開いて、紙や合成樹脂などでプレス加工し、両者を彩色再接着すれば、量産が叶う。
【実施例３】
【０００８】  図７の見取図のようなスタンドを作れば、風車が楽しめると同時に、心棒から外して平面上に置けば、両面吹きゴマとしても楽しめる。
【図面の簡単な説明】
【０００９】
【図１】  正方形用紙から作る従来の風車の構造と、本発明により進展された４角形両面風車及び両面吹きゴマの製作順序を示す図である。
【図２】  正５角形用紙から作る５角形両面風車と両面吹きゴマの製作順序を示す図。
【図３】  正６角形用紙から作る６角形両面風車と両面吹きゴマの製作順序図である。
【図４】  正８角形用紙から作る８角形両面風車と両面吹きゴマの製作順序図である。
【図５】  正５角形用紙から作る５角形足長回転翼を、円形タイヤ写真用紙に接着して、両面タイヤ風車及び両面タイヤ吹きゴマにする製作順序図である。
【図６】  両面風車や両面吹きゴマの中心部に［椿の花］［銀杏の葉］［地球の南極図・北極図（裏返し）］などの写真やイラストで装飾された用紙を貼付した図。
【図７】  台座に立てれば両面風車になり、外して平面上に置けば両面吹きゴマとなることを示す見取図である。
【図１】
2011019887.tif 000003
【図２】
2011019887.tif 000004
【図３】
2011019887.tif 000005
【図４】
2011019887.tif 000006
【図５】
2011019887.tif 000007
【図６】
2011019887.tif 000008
【図７】
2011019887.tif 000009
(57)【要約】【課題】従来の将棋、囲碁などはルールが複雑であり、また麻雀は得点計算が難しく、簡単な娯楽として適さなかった。一見単純で遊び易いが、奥が深いボードゲームを提供する。【解決手段】ポイントの異なる、縦３マス×横３マスの計９マスの中に数字や記号などが割り当てられており、守備側はその中から１マス選択する。攻撃側はポイントの異なる駒を縦横いずれかが隣り合う３マスに予想配置して、その１マスを当てる事を特徴とするボードゲーム。続けて予想する際、駒に移動制限がある為、次の配置を考えマスを予想しなければならない。駒とマスの合計ポイントを競い合うボードゲーム。【選択図】図１
2011019885.tif 000002
【特許請求の範囲】
【請求項１】
数字や記号などが割り当てられた、ポイントの異なる縦３マス×横３マスの計９マスのうち、守備側が１マスだけ選択し、攻撃側は９マスの中から、守備側が選択したと思われる３マスにポイントの異なる駒を予想配置して、その１マスを当て、配置した駒とマスのポイントを足した合計ポイントを競い合う事を特徴とするボードゲーム。
【請求項２】
攻撃側が９マスの中から駒を予想配置する際、３マスは縦横いずれかが隣り合うように配置しなければならない事を、ルールとする請求項１に記載のボードゲーム。
【請求項３】
攻撃側が続けて予想配置する際、１度マスに配置した３つの駒のうち２つは移動出来るが、残り１つは動かしてはならない事をルールとする請求項１および請求項２に記載のボードゲーム。
【発明の詳細な説明】
【技術分野】
【０００１】本発明は、２人で対面対戦するボードゲームに関する。
【背景技術】
【０００２】従来のチェス、将棋、囲碁などはルールが複雑であり、また麻雀は点数計算が難しいなど、子供には簡単な娯楽として適さなかった。オセロ（登録商品）や、はさみ将棋のように一見単純で遊びやすいが、強くなるには熟考が必要な知育ゲームが市場には少ない。
【発明の概要】
【発明が解決しようとする課題】
【０００３】ルールが簡単で子供でも数分で覚える事ができるが、運だけでなく、頭を使わないと勝てないボードゲームを提供する事を課題とする。
【発明を解決するための手段】
【０００４】第１発明は、数字や記号などが割り当てられたポイントの異なる縦３マス×横３マスの計９マスのうち、守備側が１マスだけ選択し、攻撃側は９マスの中から、守備側が選択したと思われる３マスにポイントの異なる駒を予想配置して、その１マスを当て、配置した駒とマスのポイントを足した合計ポイントを競い合う事を特徴とするボードゲーム。
【０００５】第２発明は、攻撃側が９マスの中から駒を予想配置する際、３マスは縦横いずれかが隣り合うように配置しなければならない事をルールとするボードゲーム。
【０００６】第３発明は、攻撃側が続けて予想配置する際、１度マスに配置した３つの駒のうち２つは移動出来るが、１つだけ動かす事が出来ない事をルールとするボードゲーム。
【発明の効果】
【０００７】３分の１の確立で数字や記号などを当てるだけなので、小学校低学年の子供から大人まで数回のプレーでルールをマスター出来る。しかしマスを選ぶ際に制限がある為、勝利するには運任せに予想する事が出来ず、次の配置を考えながら予想しなければならない。
簡単なのに奥が深く、まさに生涯に渡り極めるゲームである。
【発明を実地するための形態】
【０００８】以下、本発明の実地例を図面に基づいて説明する。
図１にある、１〜９までの数字が割り当てられた９マスの中から、Ｂ（守備側）が１マスだけ数字を選択し、Ａ（攻撃側）に見えないように数字が書いてあるナンバー駒を１つ、Ｎゾーンに置く。ＡはＢが選んだと思われる数字を予想し、ミート駒を３つ（２ポイント、１ポイント、ノーカウント）９マス内に配置する。その際、ミート駒を置いたマス同士は縦横いずれかが、隣り合わなければならない（図２）。駒の斜め配置は出来ない（図３）。
【０００９】Ａが配置したミート駒のマスの数字と、Ｂが選択した数字が一致していれば、ミート駒のポイントと、マスのポイント（１のマスは１ポイント、９のマスは−１ポイント、それ以外２から８のマスは０ポイント）の合計ポイントがＡに入り、ポイント駒をＡゾーン（図１）にセットし合計ポイント分だけ進める。ただしノーカウントのミート駒は、当たっても一切ポイントが入らない。
【００１０】Ａが続けて予想配置する際、１度マスに配置した３つの駒のうち２つは移動出来るが、残り１つは動かしてはならない（図４、図５）。
【００１１】Ａが配置したミート駒が、Ｂの選択した数字と一致しない場合はミスとなり、ミス駒をＭゾーンにセットし１マス移動する。３回ミスをすると攻守交代となる。
【００１２】ゲームの勝敗は、相手のＢゾーン（図１）にポイント駒が辿り着く８ポイント先取を基本とする。ただしプレイヤー同士が任意に設定したポイントに先に達する、もしくは任意に設定したターンの回数までにポイントの多い方を勝ちとするなど、勝敗基準を変更する事によりゲーム時間を調節できる。
【図面の簡単な説明】
【００１３】
【図１】・・・基本図
【図２】・・・配置の仕方
【図３】・・出来ない配置
【図４】・・・配置移動
【図５】・・・出来ない配置移動
【符号の説明】
【００１４】１・・・Ａゾーン（先攻）
２・・・Ｂゾーン（後攻）
３・・・Ｎゾーン
４・・・Ｍゾーン
５・・・ミート駒２ポイント
６・・・ミート駒１ポイント
７・・・ミート駒ノーカウント
【図１】
2011019885.tif 000003
【図２】
2011019885.tif 000004
【図３】
2011019885.tif 000005
【図４】
2011019885.tif 000006
【図５】
2011019885.tif 000007
(57)【要約】      （修正有）【課題】パソコンの普及などで首を突き出す姿勢が増え、読書、勉強、ゲームなど、肩こりや首周りの負担が大きい現状の中、それを軽減するために、日常的に使える器具を提供する。【解決手段】顎受けと、それを支える支柱と、支柱を支える土台を持った器具により、頭の重みを支え、首への負担を軽くする頭保持具で、中空軸２の上部に挿入自由となる挿入軸３を設け、全体が伸縮自在となる支柱１とし、中空軸２の上方に貫通孔５を設け、締め具４は貫通孔５を通して挿入軸３に固定可能とする。挿入軸３の上端に略Ｖ字の顎受け６を設け、顎受け６の上面にウレタンフォームやゴム材などからなる弾性材７を設ける。【選択図】図３
2011019888.tif 000002
【特許請求の範囲】
【請求項１】
中空軸の上部に挿入自由になる挿入軸を設け、全体が伸縮自在になる支柱の上端に略Ｖ字状の顎受けを設け、支柱の顎受けに使用者の頭を載せて使用する頭保持具。
【発明の詳細な説明】
【技術分野】
【０００１】  本発明は、頭の重さを支え受ける器具によって、肩こりや、首周りの疲労を軽減する頭保持具に関するものである。
【背景技術】
【０００２】  従来、首を支える用途として、整形外科などで処方されるカラーと呼ばれるコルセットがあるが、それは頚椎になんらかの異状がある場合に使用するものであり、日常的に首の負担を減らし肩こりなどの予防として使われるものではない。次の発明が知られている。
【先行技術文献】
【０００３】
【特許文献１】  特許公開２００９−１１２３８０
【特許文献２】  特許公開平０８−３０８８７１
【特許文献３】  実用新案公開平０６−００３３１１
【特許文献４】  実用新案公開平０６−０００４１４
【発明の概要】
【発明が解決しようとする課題】
【０００４】  パソコンが普及し、パソコンの画面を覗きこむ姿勢や、読書、勉強、ゲームなど、長時間首を突き出す姿勢が多い現状の中、頭の重みが首の付け根にかかり、肩こりや首周りに負担がかかる。このために、肩こりや首周りの疲労などの障害が出ている。
本発明は上記の問題点を解決するためになされたものである。
【課題を解決するための手段】
【０００５】  中空軸の上部に挿入自由になる挿入軸を設け、全体が伸縮自在となる支柱とする。
中空軸の上方に貫通孔を設け、締め具は貫通孔を通して挿入軸を締め付け、挿入軸を中空軸に固定可能とする。
中空軸の上部に略Ｖ字状の顎受けを設け、顎受けの上面にウレタンフォームやゴム材などからなる弾性材を設ける。
支柱の下部に土台を設ける。
【発明の効果】
【０００６】  従来、頭の重さを支えて肩こりなどを軽減する物理的な日常品がなかったが、この器具を使用することにより、首への負担を軽くすることが可能となり、肩こりや首周りの疲労を軽減することができる。また、顎受けを前面に突き出さないように、顎を引いた角度に取り付けることにより、画面を覗き込むなど、首を反らす姿勢を減らす事が出来、頚椎の内圧を上げる姿勢を防げる。
【図面の簡単な説明】
【０００７】
【図１】本発明の斜視図
【図２】本発明の断面図
【図３】本発明を大腿で支えた場合の使用図
【図４】本発明を机で支えた場合の使用図
【発明を実施するための形態】
【０００８】    以下、本発明の実施の形態を説明する。
（イ）中空軸（２）の上部に挿入自由となる挿入軸（３）を設け、全体が伸縮自在となる支柱（１）とする。
（ロ）中空軸（２）の上方に貫通孔（５）を設け、締め具（４）は貫通孔（５）を通して挿入軸（３）に固定可能とする。
（ハ）挿入軸（３）の上端に略Ｖ字の顎受け（６）を設け、顎受け（６）の上面にウレタンフォームやゴム材などからなる弾性材（７）を設ける。
（ニ）挿入軸（３）と顎受け（６）は屈曲可能な、金属または接続具にて固定する。
（ホ）支柱（１）の下部に略楕円形の盤からなる土台を設ける。
【図１】
2011019888.tif 000003
【図２】
2011019888.tif 000004
【図３】
2011019888.tif 000005
【図４】
2011019888.tif 000006
(57)【要約】【課題】  本発明はハンディタイプのマッサージ器で、全方向、円運動の動作を可能にすることにより、手軽で効率良く複数のツボへのマッサージ効果を得ることである。【解決手段】  複数のボール（１、１、…）と、そのボール径の２分１より少し深い（ボール径の６０から６５％）、深さがあって横断面が略半円状の環状溝（２１）を有する盤状ボール受け部（２）から成るボール回転マッサージ器であって、環状溝（２１）で取り囲まれている盤状のボール受け部の中心は円盤状の蓋（３）が嵌め込まれていて、蓋の鍔部はボール（１）と同じ曲率の湾曲度が成されていることを特徴とする。  複数ボールをボール受け部の環状溝に入れて蓋をすることにより、ボールの一部が露出する。一部が露出されたボールは、単体では自由に回転でき、また、複数のボールは環状溝の中を移動できる。これらのことにより、全方向、円運動の動作をも可能にすることを特徴とする。【選択図】図２
2011019881.tif 000002
【特許請求の範囲】
【請求項１】
複数のボール（１，１，…）と、そのボール径の２分の１より少し深い深さがあって横断面が略半円状の環状溝（２１）を有する盤状のボール受け部（２）から成るボール回転マッサージ器であって、環状溝で取り囲まれている盤状のボール受け部の中心は円盤状の蓋（３）が嵌め込まれていて、蓋の鍔部はボールと同じ曲率の湾曲度が成されていることを特徴とするマッサージ器。
【発明の詳細な説明】
【技術分野】
【０００１】  本発明は複数のボールを利用した器具に関するものである。
【背景技術】
【０００２】  従来のハンディタイプのマッサージ器では、顔、身体の複数のツボをマッサージするのには、同一方向の片方または往復の運動動作しか出来なかった。
【発明の概要】
【発明が解決しようとする課題】
【０００３】  上述の如く、従来の器具で方向を変えるには手の向きを変えるか、器具を持ち変える必要があり不便であった。また、円の運動の動作が困難であった。【０００４】  器具を持ち変えずに、複数のツボをマッサージするには、複数のボールが自由に回転できる必要があった。
【課題を解決するための手段】
【０００５】  複数のボール（１、１、…）と、そのボール径の２分の１より少し深い（ボール径の６０から６５％）深さがあって横断面が略半円状の環状溝（２１）を有する盤状のボール受け部（２）に、円盤状で鍔部がボールと同じ曲率の湾曲度が成された蓋（３）を嵌め込む。
ボールの一部は、ボール受け部（２）と蓋（３）より露出される。一部が露出されたボールは、単体で自由に回転でき、また、複数のボールは環状溝を移動出来ることにより問題点を解決している。
【発明の効果】
【０００６】  上述のように、発明されたマッサージ器は複数のボールが自由に回転でき、環状溝を移動できることにより、器具を持ち変えることなく運動動作の方向を自由に変えられる。また、円運動の動作をも可能に出来る。
このことにより、従来の器具より手軽で効率の良いマッサージ器を提供できる。
【図面の簡単な説明】
【０００７】
【図１】  本発明の実施の形態に係るマッサージ器の正面図である。
【図２】  マッサージ器の断面図である。
【図３】  ボール受け部の断面図である。
【図４】  蓋の断面図ａと正面図ｂである。
【図５】  ボールの断面図である。
【図６】  スペーサーの断面図ａと正面図ｂである。
【符号の説明】
【０００８】  １  ボール
２  ボール受け部
３  蓋
４  スペーサー
５  柄
Ｒ２１  横断面が略半円状の環状溝
Ｒ２２  Ｒ２１と同じ曲率の湾曲度
Ｄ１  環状溝の中心線の円の直径
【発明を実施するための最良の形態】
【０００９】  以下、本発明の実施の形態を図１から図６に基つきて説明する。【００１０】  図５のボールは、直接肌に触れるために、安全で皮膚に優しく、アレルギーの少ない、且つ、マッサージの圧力を加えられる硬さの部材で製作する。【００１１】  図３のボール受け部は、安全性、耐摩性に優れた部材で製作され、図５のボール径Ｒ１より少し大きい径の横断面が略半円状の溝Ｒ２を、ボール径の２分の１より少し深いＬ１（ボール径の６０から６５％にする。浅いとボールが抜け落ち、深いとボールの露出部分が少なくなりマッサージ圧が弱まる。）でＤ１環状に形成する。【００１１】  また、ボール受け部の環状溝（Ｒ２１）で取り囲まれた中心部は、ボールを出し入れ出来るように環状溝の深さＬ１からＲ２の２分１（Ｌ４）まで距離（Ｌ２）とし、また、図４の蓋との接合のためにめネジＭ１を形成する。【００１２】  図４の蓋は、円盤状で鍔部はボールより少し大きい径Ｒ２と同じ曲率の湾曲度が成されている。ボール受け部のめネジＭ１と接合出来るようにおネジｍ１を形成し、鍔部の幅（Ｌ３）は、ボール受け部の中心部の寸法（Ｌ２）と同じにする。【００１３】  複数にボールを、ボール受け部の環状溝に入れて蓋を接合する。【００１４】  図６のスペーサーは中心に穴を明けておき、ボールとボールとの隙間に嵌め込み、隣接するボール間の接触を無くしボール回転をスムーズする。【００１４】  以上のことにより、ボール受け部と蓋の面よりボールの一部Ａが露出する。露出されたボールは皮膚との接触による圧力により、ボール単体で自由に回転でき、また、複数のボールは環状溝を移動できる。【００１５】  これらにより、全方向、円運動の動作が可能になり、手軽に効率良く複数のツボを刺激するボール回転マッサージ器を提供できる。
【実施例】
【００１６】  複数のボールは直接皮膚に触れるため、耐蝕性に優れアレルギーを起こしにくい金属の純チタンを使用し、直径１２ｍｍで６個使用する。【００１７】  ボール受け部は耐磨性の良く、また、軽量な樹脂ポリアセタール材を使用し、横断面が略円状の溝Ｒ２は１２．４ｍｍ、深さ（Ｌ１）８．５ｍｍで、２３．５ｍｍの直径Ｄ１の環状に形成する。【００１８】  ボール受け部の環状溝に取り囲まれた中心部は、溝の深さ（Ｌ１）からＲ２の２分の１（Ｌ４）までの距離２．５ｍｍ（Ｌ２）とし、中心には６ｍｍめネジを形成する。【００１９】  蓋はボール受け部と同じ材質を使用し、鍔部の厚みは２．５ｍｍで、Ｒ２と同じ曲率の湾曲度を施し、中心には６ｍｍのおネジを形成する。【００２０】  チタンボール６個をボール受け部の環状溝に入れ、ボールとボールとの隙間に樹脂製のスペーサーを嵌め込み、蓋をする。
スペーサーは外径６．５から７ｍｍ、厚み０．８ｍｍ、で中心に３，５ｍｍの穴を明けてあり、ボール同士の接触を妨げボールの回転をスムーズにする。【００２１】  マッサージ運動の動作を手軽に出来るように、ボール受け部に耐蝕処理をしたアルミニュム製の柄を取り付ける。【００２２】  以上のことにより、複数のチタンボールはボール単体では自由に回転でき、環状溝を移動できことにより、全方向の運動動作、また、円運動の動作をも可能にするマッサージ器が製作できる
【図１】
2011019881.tif 000003
【図２】
2011019881.tif 000004
【図３】
2011019881.tif 000005
【図４】
2011019881.tif 000006
【図５】
2011019881.tif 000007
【図６】
2011019881.tif 000008
(57)【要約】【課題】    コップ等容器の中で、ストローが傾いたりしないように保持する補助具を提供する。【解決手段】    ストロークリップ本体（１）の基盤下方には外部サポート保持片（２）と内部サポート保持片（３）が一体に設けられ、容器（６）の上縁外壁と内壁を押し付けるために、夫々の保持片先端を屈曲し弾性状に成し、ストロークリップ本体（１）を容器（６）の上縁より挿入すると容器（６）に保持固定される。内部サポート保持片（３）の上段基盤先端にはストロー（５）を上部より差込み固定するためのストロー保持部（４）を設け、該ストロー保持部（４）は上下にガイド部を有し、夫々にストロー（５）を挿入するための貫通穴（９）、（１０）を設け、容器（６）の上縁にストロークリップ本体（１）を着脱自在にし、ストロー（５）をガイド保持することを特徴とするストロークリップ。【選択図】図１
2011019883.tif 000002
【特許請求の範囲】
【請求項１】
ストロークリップ本体（１）の基盤下方には外部サポート保持片（２）と内部サポート保持片（３）が一体に設けられ、容器（６）の上縁外壁と内壁を押し付けるために、夫々の保持片（２）、（３）の先端を屈曲し弾性状に成し、ストロークリップ本体（１）を容器（６）の上縁より挿入すると、該ストロークリップ本体（１）は容器（６）に保持固定され、内部サポート保持片（３）の上段基盤先端にはストロー（５）を上部より差込み固定するためのストロー保持部（４）を設け、該ストロー保持部（４）は上下にガイド部を有し、夫々にストロー（５）を挿入するための貫通穴を設け、容器（６）の上縁にストロークリップ本体（１）を着脱自在にし、ストロー（５）をガイド保持することを特徴とするストロークリップ。
【発明の詳細な説明】
【技術分野】
【０００１】  本発明は、ストローを容易に口元に近づけるための補助具に関するものである。
【背景技術】
【０００２】  従来、ストローはコップ等容器を傾けることなく中のジュース類を飲むために利用されている。この場合、ストローを単にコップ内に差込んで、一方の手でコップ等容器を保持し、他方の手でそのストローを保持しながら口元に導きジュース類を飲んでいた。
【特許文献１】特開２０００−３０８５５９号公報
【特許文献２】特開２０００−３３３８０９号公報
【特許文献３】登録実用新案第３０４０３３１号公報
【発明の開示】
【発明が解決しようとする課題】
【０００３】そのために、次のような問題点があった。
従来、ストローはコップ等容器内のジュース類に差し込まれた状態にあり、飲むときは手を添えて飲み口を口元に導いて、他方の手で容器を保持している。しかし、手の不自由な高齢者や、小さなお子さんは、一方の手でコップを持ち、他方の手でストローを口元に近づけることに困難なこともあった。
また、健常者においても手が自由にならない場合などでは、ストローを口元に近づけるのに手間がかかることもあった。
本発明は、これらの問題点を解決するためになされたものである。
【課題を解決するための手段】
【０００４】  上記問題を解決するために、ストロークリップ本体（１）の基盤下方には外部サポート保持片（２）と内部サポート保持片（３）が一体に設けられ容器（６）の上縁外壁と内壁を押し付けるために、夫々の保持片先端を屈曲し弾性状に成し、ストロークリップ本体（１）を容器（６）上縁より挿入すると容器（６）に保持固定される。内部サポート保持片（３）の上段基盤先端にはストロー（５）を上部より差込み固定するためのストロー保持部（４）を設け、該ストロー保持部（４）は上下にガイド部を有し、夫々にストロー（５）を挿入するための貫通穴を設け、容器（６）の上縁にストロークリップ本体（１）を着脱自在にし、ストロー（５）をガイド保持する補助具を提供する。
【発明の効果】
【０００５】  着脱可能な本品を、コップ等容器の上縁に取付けストロー保持部にストローを差し込むことで、コップ等容器内でストローが傾いたりせず、容易に口元にストローを近づけることができるので、障害等で手が自由に動かない方でも容易にストローを介してジュース類を飲むことができる。
【発明を実施するための最良の形態】
【０００６】  以下、本発明の実施形態について説明する。
（イ）ストロークリップ本体（１）の基盤下方には外部サポート保持片（２）と内部サポート保持片（３）が一体に設けられ、容器（６）の上縁の外壁（１１）と内壁（１２）を押し付けるために夫々の保持片は弾性を成し、先端部は屈曲し屈曲部（７）、（８）を設けている。
（ロ）ストロー（５）を挿入保持するために、内部サポート保持片（３）の上段基盤先端にストロー保持部（４）を上下２段に設け、夫々にストロー（５）を挿入するためのガイド用貫通穴（９）、（１０）を設ける。
本発明は以上のような構成でこれを使用する場合の手順について説明する。
（イ）ストロークリップ本体（１）の基盤下方にある外部サポート保持片（２）と内部サポート保持片（３）の隙間を容器（６）の上縁に挿し込む。
（ロ）次に、ストロー（５）を上下２段のストロー保持部（４）の貫通穴に上方より挿入し、徐々に挿し込んでいく。
（ハ）ストロー（５）の下端は容器（６）の内面に接しながら下がる。この時、ストロー自身の持つ弾性力がストロー保持部（４）を介して外部サポート保持片（２）と内部サポート保持片（３）の夫々の屈曲部（７）、（８）が、容器（６）の上縁の外壁（１１）及び内壁（１２）を押し付けることにより、ストロークリップ本体（１）及びストロー（５）は固定保持できる。
（ニ）取り外す場合は、ストロー（５）を上方に引き抜くか、ストロークリップ本体（１）を容器（６）の上縁より取り外すことができる。
【図面の簡単な説明】
【０００７】
【図１】本発明のストロークリップの斜視図
【図２】本発明の取付け使用を示す状態図（コップ等容器に挿しかけた状態）
【図３】本発明の取付け使用を示す状態図（ストローを差し込んだ状態）
【図４】本発明の取付け使用を示す状態図（ストローを固定保持した状態）
【符号の説明】
【０００８】１  ストロークリップ本体
２  外部サポート保持片
３  内部サポート保持片
４  ストロー保持部
５  ストロー
６  容器
７  屈曲部
８  屈曲部
９  貫通穴
１０  貫通穴
１１  外壁
１２  内壁
【図１】
2011019883.tif 000003
【図２】
2011019883.tif 000004
【図３】
2011019883.tif 000005
【図４】
2011019883.tif 000006
(57)【要約】【課題】  本発明は、子供から高齢者まで、安全で多種目の様々な下肢運動ができ体力に合った筋力増強やバランス能力の向上に役立つ事が出来る分離型バランス下肢運動具を提供する。【解決手段】  足載せ台と、別に形成された２本の握り棒とで分離型バランス下肢運動具を構成している。【選択図】  図１
2011019872.tif 000002
【特許請求の範囲】
【請求項１】
足載せ台前部に丸みを付与し、左右に足載せ台切り取り溝部を有した足載せ台と前記足載せ台切り取り溝部に自在に装着可能な握り棒下部を備えた２本の握り棒からなることを特徴とする分離型バランス下肢運動具。
【請求項２】
握り棒下部は、スプリング、樹脂、ゴムのいずれかの柔軟性材料であって更に台形状であることを特徴とする請求項１記載の分離型バランス下肢運動具。
【発明の詳細な説明】
【技術分野】
【０００１】
本発明は、子供から高齢者まで下肢運動を安全に行う事ができる、分離型バランス下肢運動具に関する。
【背景技術】
【０００２】
従来の、下肢運動具には、左右の足を台に載せ、上下動の動きに前後動を組み合わせた擬似歩行を目的とし、負荷を無くした下肢運動補助装置がある、又はストレッチを目的としたストレッチ健康器具がある、いずれも一体型構造で構成されている。
【０００３】
しかしながら、従来の下肢運動具は同一運動という欠点があつた。
【先行技術文献】
【特許文献】
【０００４】
【特許文献１】特開２００７−２８３００４号公報
【特許文献２】特開平１０−２７７１０７号公報
【非特許文献】
【０００５】
【非特許文献１】「楽天市場」ウオーキングを取り入れたフィットネスマシン、オービトレックエリート、２００９年、７月、インターネット検索。
【発明の概要】
【発明が解決しようとする課題】
【０００６】
本発明は、以上のような従来の欠点をおぎなうため、多種目の様々な下肢運動ができる、分離型バランス下肢運動具を提供する事を目的としている。
【課題を解決するための手段】
【０００７】
本発明の第一は、足載せ台前部に丸みを付与し、左右に足載せ台切り取り溝部を有した足載せ台と前記足載せ台切り取り溝部に自在に装着可能な握り棒下部を備えた２本の握り棒からなることを特徴とする分離型バランス下肢運動具である。
第二の発明は、握り棒下部は、スプリング、樹脂、ゴムのいずれかの柔軟性材料であって更に台形状であることを特徴とする請求項１記載の分離型バランス下肢運動具である。
上記目的を達成するために、本発明は、足載せ台と、握り棒の分離型であって、足載せ台左右に切り取り溝を有した足載せ台と、別に形成された２本の握り棒で、分離型バランス下肢運動具を構成している。
【発明の効果】
【０００８】
以上の説明から明らかなように、本発明にあっては次の様な効果が得られる。
（１）足載せ台、とは別に形成された２本の握り棒で構成されているので、握り棒を持ちながらバランスを取り、踵立ち、つま先立ちで普段動かす事のない筋肉、関節を使い、フクラハギ、お腹、お尻の引き締めができるしたがってシェイプアップ、バランス感覚を磨き姿勢の矯正ができる。
【０００９】
（２）前記（１）によつて、踏み台昇降、又膝の上げ下げで日常膝をしっかり上げる事のない膝を、握り棒を持ちながらバランスを取り、ひねりを加え膝を左右交互上げ下げと回数を多くする事で有酸素運動ができる、したがってダイエット、メタボ対策ができる。
【００１０】
足載せ台を使用せず、握り棒２本を持ちながらスクワット、膝を曲げて腰を落とし３〜５秒キープし膝と背筋を伸ばし腰を上げる事で、ふともも、お尻の筋力アップができる。
【００１１】
使用者が、握り棒を足載せ台からはずして、握り棒でバランスが取りやすい位置に、握り棒の位置がえが出来るようにしてもよい。
上記の様に、握り棒２本を有するので、安全で多種目の様々な運動に使用出来るので子供から高齢者まで、体力に合った下肢の筋肉の筋力やバランス能力を鍛えて中年のダイエット、メタボ対策、又は高齢者の転倒を起こしにくい体力作り効果が得られる。
【図面の簡単な説明】
【００１２】
【図１】本発明を実施するための、つま先立ち状態を示す斜視図である。
【図２】足載せ台の平面図。
【図３】本発明の正面図。
【図４】本発明の握り棒。
【発明を実施するための形態】
【００１３】
以下、本発明の実施の形態を図に基づいて説明する。
【実施例１】
【００１４】
図１は、本発明の実施例１の斜視図であって、足載せ台部１の左右に切り取り溝部３を有し、別に形成された２本の握り棒４を切り取り溝３に立て握り棒４を持ち、バランスを取りながら、つま先立ちを行っている状態である。
【実施例２】
【００１５】
図２は、足載せ台の平面図である。
【実施例３】
【００１６】
図3は、正面図で足載せ台部１と、握り棒４は、木、樹脂、アルミ、ゴム等を用いて形成し、足載せ台部１と足載せ台前部２に滑り止めを有する、又はすべり止めを形成したマット等を貼り付けてもよい。
【実施例４】
【００１７】
図４は、握り棒４で握り棒４の下部５はスプリング、柔軟性樹脂、ゴム等を用いて安定性を持たせるため八形、スイバン形を有し、自在方向に傾斜可能にし、握り棒４は、繋ぎ棒にして持ち運びに便利にする。
【産業上の利用可能性】
【００１８】
本発明は、高齢者の転倒予防対策、下肢のリハビリ産業で利用される。
【符号の説明】
【００１９】
１  足載せ台部
２  足載せ台前部
３  足載せ台切り取り溝部
４  握り棒
５  握り棒下部
【図１】
2011019872.tif 000003
【図２】
2011019872.tif 000004
【図３】
2011019872.tif 000005
【図４】
2011019872.tif 000006
(57)【要約】      （修正有）【課題】介護される人も楽に、かつ安全に抱き起こしができること。【解決手段】ゴム製繊維を介護ベルト背面内側にハニカム状に縫うことにより、介護ベルトと被介護者の背中間に滑り止め効果が生じ、被介護者を無理なく起こすことが可能に出来た。介護ベルトの両端に楕円形の孔の形成により介護者の労力の軽減が出来た。介護ベルト中央部を凸型に形成することにより、被介護者の頭部への負担軽減が可能である。【選択図】図１
2011019876.tif 000002
【特許請求の範囲】
【請求項１】
介護ベルト背面内側にゴム製繊維をハニカム状に縫われること。
【請求項２】
頭部サポート部分を凸形状に形成されていること。
【請求項３】
介護ベルト素材にフレキシブルに対応できる柔軟合成ゴム材を使用すること。
【請求項４】
介護ベルト保持部を楕円状な孔で形成されていること。
【発明の詳細な説明】
【技術分野】
【０００１】本発明は抱き起こし補助介護ベルト背面内側にゴム製繊維をハニカム状に縫いこみ、被介護者の背中が滑りにくく形成。
【背景技術】
【０００２】近年、急速に高齢化が進み、比例して介護される人も増加傾向にある。特に、寝たきりの被介護者への補助用具不足が指摘されている。そこで本発明は介護する人が楽に、介護される人も楽に、かつ安全に抱き起こしができることを目的とした介護ベルトを開発した。
【発明の開示】
【発明を解決しようとする課題】
【０００３】従来は介護者の腕だけで被介護者の背中上部を支えて起こしていた。そのとき腕だけまたはタオルを背中にかけて被介護者を支えにしていた。しかし、背中の大きい被介護者には手が回らないなど、困難を極めている。また衣服を握るのに手が滑ってしまい被介護者をしっかり支えることができないなどの問題がある。
【問題を解決するための手段】
【０００４】本発明は図１の抱き起こし補助介護ベルト背面内側に図２の合成ゴム繊維をハニカム模様に縫うことにより滑りを防ぐ。さらに、図３の保持部に楕円状な孔があることにより、被介護者を両手でつかんで抱き起こしができる。その時、図２のハニカム状に縫いこまれたゴム製繊維により滑りを防ぐ。図４被介護者の頭部サポート部。
【発明の効果】
【０００５】本発明に係わる抱き起こし補助介護ベルトは力のあまりない人でも楽に抱き起こしができる。抱き起こし補助介護ベルトは小さいから少しずつ、ずらすだけで身体の下に敷くのが簡単にできる。被介護者の精神的負担を軽減する可能性がある。
【発明を実施するための最良の形態】
【０００６】図１は本発明の一実施形態を示す抱き起こし補助介護ベルト投影図である。
図２は背面内側滑り止め合成ゴム繊維縫目ハニカム模様。図３介護ベルト保持部
図４被介護者の頭部サポート部。
【産業上の利用可能】
【０００７】寝たきり老人、怪我による長期療養人
【図面の簡単な説明】
【０００８】
【図１】抱き起こし補助介護ベルト本体の投影図。
【図２】介護ベルト滑り止め合成繊維
【図３】介護ベルト保持部
【図４】介護ベルト頭部サポート部
【符号の説明】１  被介護者頭部支え部
２  介護ベルト保持部
３  被介護者背中サポート部
【図１】
2011019876.tif 000003
【図３】
2011019876.tif 000004
【図４】
2011019876.tif 000005
【手続補正書】
【提出日】平成21年10月2日(2009.10.2)
【手続補正１】
【補正対象書類名】図面
【補正対象項目名】全図
【補正方法】変更
【補正の内容】
【図１】
2011019876.tif 000006
【図２】
2011019876.tif 000007
【図３】
2011019876.tif 000008
【図４】
2011019876.tif 000009
(57)【要約】【課題】  器機（多種多様）等の内部において、火災発生に際し、自然的な消火、飛び火及び延焼防止を行い、消火活動における時間の削減、また手動ではなく簡単な取り付けにより、器機の内部に応じて小型化にもなり又は低コストを実現し、用途に応じ幅広い範囲において、器機の設置を可能にする消火薬剤設備（自然浸透・水没システム）を提供する。【解決手段】  火災時の火（炎）により、水その他、消防法令に記載の消火薬剤（７）を、火災の熱により溶解可能な容器の消火薬剤容器（８）に充てんし、火災発生に対し反応する消火薬剤容器（８）の溶解とともに、消火薬剤（７）を火元へ浸透させ、及び一定量の水その他、消火薬剤の溜め効果により、炎の火元を水没鎮火する。【選択図】図４
2011019893.tif 000002
【特許請求の範囲】
【請求項１】
器機（多種多様な）又は、耐火構造、防爆構造（防爆構造ていど）等の内部中心から３６０℃の内側全体、器機含むまでの範囲と消防法令に準ずる（対象物、その他）等の火災に関して、火（炎）の熱により溶解可能で形状変化を有し、水その他、消化薬剤を充てん及び交換可能な薬剤容器を用途により設け、自然的な炎及び火元の消火と鎮火を消火方法とし生まれたシステム。消火薬剤設備（自然浸透・水没システム）
【請求項２】
器機の内部火災時において、その炎の熱により、水その他、消火薬剤を充てん及び交換可能な薬剤容器は溶解し、容器内の消火薬剤が火元及び可然物、その他等へ浸透又は、注ぎ込む（浸透消火方法）と、消火薬剤を器機内部において、一定量の溜め効果による（水没消火方法）を勘案し、手動ではなく自然的による消火方法にした。請求項１に記載の消火薬剤設備（自然浸透・水没システム）
【請求項３】
水その他、消火薬剤を充てん及び交換可能な薬剤容器は、器機内部（壁面）に応じて、又は、取り付け箇所により、容量  大きさ等  並びに、分別可能で火（炎）の火元及び可然物（対象物  その他）等へ、消火薬剤が浸透又は、注ぎこみやすくするように形状の変化を有する。  請求項１又は、２に記載の消火薬剤設備（自然浸透・水没システム）
【請求項４】
消火薬剤には、水その他、消防法令に記載の消火薬剤に準じ、選択的に用い使用する。  請求項１及至３のいずれかに記載の消火薬剤設備（自然浸透・水没システム）
【請求項５】
水その他、消火薬剤を充てん及び交換可能な薬剤容器は、衝撃よりも火（炎）の熱により溶解しうる材料を用い、並びに水その他、消火薬剤の注入口、排出口等は、用途に応じて薬剤容器を設ける。  請求項１及至４のいずれかに記載の消火薬剤設備（自然浸透・水没システム）
【請求項６】
器機等及び薬剤容器を保持する保持部材（保持器具）と脱着溝は、必要に応じて備え設ける。  請求項１及至５のいずれかに記載の消火薬剤設備（自然浸透・水没システム）
【発明の詳細な説明】
【技術の分野】
【０００１】  本発明は、器機（器機等）の内部において、消火薬剤容器を設けた消火薬剤設備（自然浸透・水没システム）である。
【背景技術】
【０００２】  従来、ゴミ箱（又は、灯油容器を収納する器機等）と消火器は別々になっていた。
【発明の開示】
【発明が解決しようとする課題】
【０００３】  これは、次のような欠点があった。
従来、火災時における火災発生から消火（消火活動）及び消防隊員による消防車の現場到着までに有する時間又は、火（炎）の火元、鎮火までの時間の火災範囲の拡大と飛火の恐れに加え、ゴミ箱（又は、灯油容器を収納する器機等）の混入物による火災の懸念と、特定の場所にしか置けない状況。本発明は、以上のような欠点をなくすためになされたもの及び消火システムである。
【課題を解決するための手段】
【０００４】  耐火構造及び防爆構造（防爆構造ていど）の器機（２）に、器機開閉扉（６）、連結部材（５）、外部注入口（水その他、消火薬剤）並びにガス抜き口（３）と排水溝及び排水弁（４）を設け、内部壁面には保持部材（保持器具）（９）、脱着溝（１０）を設けた消火薬剤容器（８）に、水その他、消火薬剤（消防法令に記載の消火薬剤に準ずる）（７）を充てん。本発明は、以上の構成よりなる消火薬剤設備（自然浸透・水没システム）である。
【発明の効果】
【０００５】  上記の構成より結果。
2011019893.tif 000003
（２）器機（多種多様）等の内部において、火災発生から消火活動における時間又は、火元の鎮火までに有する時間の削減の効果。
（３）器機（多種多様）等の内部に応じて、小型化にもなり又は、低コストの効果。
（４）手動ではなく、簡単な取り付け及び消防法令に準ずる、消火薬剤を用途により使用可能で、幅広い範囲においての設置を可能にした効果。
【発明を実施するための最良の形態】
【０００６】  耐火構造及び防爆構造（防爆構造ていど）の器機（２）に、外部注入口（水その他、消火薬剤）並びにガス抜き口（３）と、排水溝及び排水弁（４）と、連結部材（５）と、器機開閉扉（６）を設け、耐火構造及び防爆構造（防爆構造ていど）の器機（２）の内部内側壁面に、形状変化を理用した凸凹を、消火薬剤容器（８）の脱着溝（消火薬剤（１０）にあうように差しこむ。保持部材（保持器具）（９）で止め固定する。消火薬剤容器（８）に外部注入口（水その他、消火薬剤）並びにガス抜き口（３）から、水その他、消火薬剤（消防法令に記載の消火薬剤に準ずる）（７）を注入する。
本発明は、以上のような構造である。これを使用するときは、器機と一体になった消火薬剤設備（自然浸透・水没システム）で、器機等内部に発生した火災に対応し、火元を消火又は鎮火すればいい。
【図面の簡単な説明】
【０００７】
【図１】  本発明の正面図である。
【図２】  本発明の断面図である。
【図３】  本発明の正面図（Ａ）（Ｂ）である。
【図４】  本発明の断面図（Ａ）（Ｂ）である。
【図５】  本発明の器機内部における消火薬剤容器の正面図（Ａ）（Ｂ）である。
【符号の説明】
【０００８】  １  消火薬剤設備（自然浸透・水没システム）
２  耐火構造及び防爆構造（防爆構造ていど）の器機
３  外部注入口（水その他、消火薬剤）並びに、ガス抜き口
４  排水溝及び排水弁
５  連結部材
６  器機開閉扉
７  水その他、消火薬剤（消防法令に記載の消火薬剤に準ずる）
８  消火薬剤容器
９  保持部材（保持器具）
１０  脱着溝（消火薬剤容器側）
【図１】
2011019893.tif 000004
【図２】
2011019893.tif 000005
【図３】
2011019893.tif 000006
【図４】
2011019893.tif 000007
【図５】
2011019893.tif 000008
(57)【要約】【課題】    特願２００８−３０９２７８の足裏電気マッサージ器が紹介されているが、より低温の過熱防止器を作り、モーターの外箱の振動を、何時迄も変化させない方策が必要とした。【解決手段】  本発明は、モーター軸に振子を付けることによってモーター運転時の振動を大きく増幅し、その振動をモーターの外箱に伝え、外箱に取り付けた複数個の突起によって足裏の所定の点部に伝えることが出来、その振動は、何時迄も変化せず、従来の温度フューズ以下の温度で、モーターの回転を止める事が出来る。【選択図】  図３
2011019581.tif 000002
【特許請求の範囲】
【請求項１】
モーター軸に振子を付けて、モーターを動かしたときに起こる振動を増幅し、モーター
の外箱に付けた複数個の突起を通して身体にその振動を伝える器具において、パラフィンと、ステアリン酸の混合物を、モーターの金属部に当てて、モーターの温度上昇により、この混合物が熔解し、その為コイルバネが作動して、モーター軸を圧してモーターの
回転を止める作動物を付けたモーターの振動を身体に伝える器具。
【発明の詳細な説明】
【技術分野】
【０００１】
この発明は健康を増進する器具に関する。
【背景技術】
【０００２】
特願  ２００８−１３０１３５、特願  ２００８−３０９２７８として出願している。
【特許文献１】特願２００８−３０９２７８
【発明の開示】
【発明が解決しようとする課題】
【０００３】
従来の器具は、モーターの回転運動を、ギヤーを使って直線運動に変える構造になって
おり、構造が複雑である。又外箱の振動を、何時迄も変化させないようにすべきで、又温度上昇で、事故を防ぐ為、７０℃の温度フューズを使っているが、この温度フューズは、普通の温度フューズと違い、この温度フューズが切れると、殆ど、モーターは廃品となるので、この温度フューズが切れる手前で、何か作動する方法はないか、又風量が温度上昇に、余程影響があるのではないか。
【０００４】
今回の発明品は、モーター軸に振子を取り付けてモーターの振動を増幅し、この振動を使用するもので、構造の簡単な器具の開発であり、外枠の振動を変化させない方策であり、７０℃のヒューズを作動させない方策であり、通常の使用状態で、７０℃の温度ヒューズを作動させない風量の策定である。
【０００５】
本発明はより構造の簡単な器具の開発であり、外箱の振動を変化させない方策であり、
７０℃の温度フューズを作動させない方策であり、７０℃の温度フューズを作動させない風量の策定の開発である。
【課題を解決するための手段】
【０００６】
モーター軸に振子をつけて、モーターの振動を増幅し、その振動をモーターを固定する
為に覆った外箱に伝達し、外箱に数ｃｍの長さの突起を付けて、その突起の先端を足の裏
に当てるようにした。又箱の振動を、何時迄も変化しないようにモーターと、モーターを支える外箱との接続に、棒トーとナットでは必ず、ゆるみが起こって、何時迄も、最初の強さは、続かんので、外箱には、釘で突起を付け、モーター部にも突起を付け、双方の突起を不飽和ポリエステル樹脂と、増量材の粉末の混合物を混じたもので覆い、固化して固く固め、又７０℃温度ヒューズが作動する前に蝋を付けた作動物を、モーターの金属部に当てて、蝋が融解すると、作動物中のコイルバネが作動して、作動物中の板が、モーター軸を圧して、モーター軸の回転を止めるようにした。又送風の羽の面積を広げた。
【発明の効果】
【０００７】
簡単な操作で、足裏の点部に振動を伝える事ができた。又外箱の振動が、以前より大となり、この振動が、何時迄も、維持出来る様になった。又７０℃の温度フューズが作動はなく、又体に伝わる振動が強過ぎると感じた場合、モーター軸を圧する作動物で適当な強さを得る事が出来る。又送風の羽根を大きくして、空気の出入り口を狭くしない限り、又余程高温の暖房中で長時間運転しない限り蝋による作動はしなくなった。
【０００８】
年齢にかかわらず、男子の尿道の血行を活発にする。
【０００９】
いつでも、何時間でも、気持ちよく使用する事が出来る。
【００１０】
足の裏の按摩は今まで経験したことのない心地よさを与える。
【００１１】
足の側面にもいい感じの按摩が行える。
【００１２】
ギックリ腰より起こった重症の腰痛が、足の刺激で治る。
【００１３】
通じが良くなり、下痢の手前の状態を続ける事が出来る。
【００１４】
長時間の精神統一が出来る。
【発明を実施するための形態】
【００１５】
振子は、モーターの回転によって振子を取り付ける前に比べて大きな振動を起こすので、その振動を利用するため、１００Ｖ，４５Ｗ、回転数毎分１１５０回転のモーターで２０Ｗに調整し、更にダイオードを付けて、１０Ｗの消費電力として使用し、モーター軸にモーター軸より３．５ｃｍ離れた処に、重量１４ｇの重りを付け、直径１センチ、長さ５ｃｍの棒トウ数本を外箱に付け、棒トウの先端を足の裏に当てるようにした。重りを収納した筒に送風用の羽根１００ｃｍ２を取り付け、外箱に数本の釘突起を付け、モーターにも２本の棒トウ（突起は４本）を付け、これらの突起を覆うように、不飽和ポリエステル樹脂と増量剤の粉末を練り合わした混合物で囲み、固化し、７０℃の温度フューズを取り付け、蝋による温度制御装置を付けた。
【図面の簡単な説明】
【００１６】
【図１】足裏振動器を上より見た図である。
【図２】足裏振動器の、外箱に取り付ける前の、モーター関連部を取り付けたもので、モーター軸を水平にして、蝋による温度制御装置を横から見た図である。
【図３】足裏振動器を横から見た図である。
【図４】足裏振動器の、外箱に取り付ける前の、モーター関連部を取り付けたもので、モーター軸を水平にして、蝋による温度制御装置を上より見た図である。
【符号の説明】
【００１７】
１  モーター
２  振子
３  突起
４  不飽和ポリエステル樹脂と、増量材の粉末の混合物の固化物
５  外箱
６  温度制御装置のモーター軸押さえ部
７  温度制御装置のコイルバネ部
８  温度制御装置の蝋部
９  裏面が温度制御装置の蝋部
１０  モーターを固定する為の棒トウ（２本なるも突起では４本）
１１  モーターを固定する為の箱側の突起
１２  ７０℃の温度フューズ
１３  送風の羽根
１４  送風の羽根の基盤部
１５  温度制御装置のモーター軸を押さえる部分
１６  温度制御装置を解除する棒トウ
【図１】
2011019581.tif 000003
【図２】
2011019581.tif 000004
【図３】
2011019581.tif 000005
【図４】
2011019581.tif 000006